(57)【要約】【課題】  発光部から照射される照明の方向が乱れにくく、身につけることへの煩わしさが生じることなく快適に用いることのできる照明装置の提供。【解決手段】  発光部１Ａを有する本体１と、本体１を吊る首掛用索体２とを備え、本体１に設けられた磁性体であるフック１２と、衣服の生地の裏側に配置されてフック１２に前後方向で対向する永久磁石１５とをさらに備え、首掛用索体２をユーザー５の首に掛けて本体１を吊るとともに、永久磁石１５の磁力により永久磁石１５とフック１２とで衣服６の生地を挟持することで、ユーザー５の身体が上下方向、左右方向に揺れても本体１を安定させられる。【選択図】  図１
2018028987.tif 000002
【特許請求の範囲】
【請求項１】
発光部を有する本体と、該本体を吊ることのできる首掛用索体と、前記本体を使用者の衣服に着脱自在に係止する衣服係止部とを備えたことを特徴とする照明装置。
【請求項２】
前記衣服係止部において、前記衣服に対して係止する部分が面状とされた請求項１に記載の照明装置。
【請求項３】
前記衣服係止部は、前記本体に設けられた一方係止部と、前記衣服の生地の裏側に配置されて前記一方係止部に前後方向で対向する他方係止部とを備え、
前記一方係止部および他方係止部のうち、何れか一方が磁石とされ且つ他方が磁性体とされるか、あるいは前記一方係止部および他方係止部の双方が、異極で前後方向に対向する磁石とされた請求項１または請求項２に記載の照明装置。
【請求項４】
前記他方係止部は、前記首掛用索体から分岐する分岐索体の端部側に設けられた請求項３に記載の照明装置。
【発明の詳細な説明】
【技術分野】
【０００１】
本発明は、夜間等に使用者が身につける照明装置に関する。
【背景技術】
【０００２】
この種の照明装置が、下記特許文献１に記載されている。特許文献１の照明装置は、発光部を有する本体と、本体を吊ることのできる首掛用索体とを備える。使用者は、首掛用索体を首に掛けることで照明装置を身につける。使用者の足元は、発光部から照射される照明により照らされる。
【０００３】
また、この種の照明装置として、使用者の衣服のポケット生地を挟み込むようにして身につける照明装置が知られている。
【先行技術文献】
【特許文献】
【０００４】
【特許文献１】特許第５３１５７２０号公報
【発明の概要】
【発明が解決しようとする課題】
【０００５】
上記特許文献１に記載の照明装置は、首掛用索体を首に掛けて使用者の身につけられる。また、使用者の衣服のポケット生地に装着される照明装置では、ポケット生地を挟み込んで使用者の身につけられる。
【０００６】
ところで、使用者によっては、照明装置を身につけて、いわゆるウオーキングやランニングをする。このような動作では、使用者の身体が上下左右に揺れる。そうなると、首掛用索体を首に掛けるのみ、あるいはポケット生地を挟み込むのみで使用者の身につけられている照明装置では、使用者の身体に対して本体が大きく揺さぶられる。そうなると、発光部から照射される照明の方向が定まらず、また、使用者に、照明装置を身につける煩わしさが生じる。
【０００７】
そこで本発明は、発光部から照射される照明の方向が乱れにくく、身につけることへの煩わしさを生じさせずに快適に用いることのできる照明装置の提供を目的とする。
【課題を解決するための手段】
【０００８】
本発明の照明装置は、発光部を有する本体と、該本体を吊ることのできる首掛用索体と、前記本体を使用者の衣服に着脱自在に係止する衣服係止部とを備えたことを特徴としている。
【０００９】
上記構成を備えた本発明の照明装置によれば、首掛用索体を首に掛けることで本体を吊った状態として、衣服係止部により本体を衣服に係止することで、首掛用索体および衣服係止部の双方により使用者に対する本体の位置決めがなされるから、使用者の身体が上下方向、左右方向に揺れても、本体が使用者の身体に対して大きく揺さぶられることがない。
【００１０】
本発明の照明装置では、前記衣服係止部において、前記衣服に対して係止する部分が面状とされた構成を採用できる。
【００１１】
上記構成の照明装置では、衣服係止部が衣服に面状で係止するので、その分だけ衣服に対する係止力が確保し易い。
【００１２】
本発明の照明装置では、前記衣服係止部は、前記本体に設けられた一方係止部と、前記衣服の生地の裏側に配置されて前記一方係止部に前後方向で対向する他方係止部とを備え、前記一方係止部および他方係止部のうち、何れか一方が磁石とされ且つ他方が磁性体とされるか、あるいは前記一方係止部および他方係止部の双方が、異極で前後方向に対向する磁石とされた構成を採用できる。
【００１３】
上記構成の照明装置では、使用者は、首掛用索体を首に掛け、本体を使用者が着用している衣服の表側に位置させ、他方係止部を衣服の生地の裏側に配置して、一方係止部および他方係止部を衣服の生地を介して対向させることで、一方係止部および他方係止部どうしが磁力により吸引され、その吸引力により本体が衣服の生地を介して確実に係止される。
【００１４】
本発明の照明装置では、前記他方係止部は、前記首掛用索体から分岐する分岐索体の端部側に設けられた構成を採用できる。
【００１５】
上記構成の照明装置では、使用者は、首掛用索体を首に掛けて本体を使用者が着用している衣服の表側に位置させ、分岐索体の端部側に設けられた他方係止部を衣服の生地の裏側に配置して、一方係止部および他方係止部を衣服の生地を介して対向させることで、一方係止部および他方係止部どうしが磁力により吸引され、その吸引力により本体が衣服の生地を介して確実に係止される。
【発明の効果】
【００１６】
本発明の照明装置によれば、首掛用索体および衣服係止部の双方により本体の位置決めがなされるから、使用者の身体が上下方向、左右方向の揺れても、本体が使用者の身体に対して揺さぶられることがない。このため、発光部から照射される照明の方向を、使用者に対して安定させられるとともに、身につけることへの煩わしさが生じないことから、快適に用いることができる。
【図面の簡単な説明】
【００１７】
【図１】本発明の一実施形態に係る照明装置の分解斜視図である。
【図２】同組付状態を表す全体斜視図である。
【図３】同正面図である。
【図４】同背面図である。
【図５】同一方からの側面図である。
【図６】同他方からの側面図である。
【図７】同一部拡大側面断面図である。
【図８】同使用状態（ユーザーが照明装置を装着した状態）を表す側面図である。
【図９】同使用状態における一部拡大側面断面図であり、図８におけるＳ部分の拡大断面図である。
【図１０】本発明の第二の実施形態に係る照明装置の分解斜視図である。
【図１１】同組付状態を表す全体斜視図である。
【図１２】同一部拡大側面断面図である。
【図１３】同使用状態における一部拡大側面断面図である。
【発明を実施するための形態】
【００１８】
以下、本発明の一実施形態に係る照明装置を、図面を参照しつつ説明する。本実施形態の第一の実施形態に係る照明装置は、図１に示すように、発光部１Ａを有する本体１と、本体１を吊ることのできる首掛用索体２と、首掛用索体２を本体１側へ支持する取付枠体部３と、本体１を取付枠体部３に対して角度変更可能に支持する角度調節機構４と、本体１を使用者（以下、ユーザーと称する）５の衣服６の生地に着脱自在に係止する衣服係止部７とを備えている。
【００１９】
図１ないし図６に示すように、本体１は、直方体形状に形成されている。発光部１Ａは、本体１の前面から照射光を照射可能に構成されている。本体１の一方の側面に、発光部１Ａの駆動の入切を操作するための操作片８が配置されている。本体１の他方の側面に、発光部１Ａからの発光量を調節するための調節片９が配置されている。
【００２０】
取付枠体部３は、本体１とは別体であり、本体１の背面側に配置される。取付枠体部３は、左右両側に配置されて上下方向に沿う右部杆材３０および左部杆材３１と、上下位置に配置されて左右方向に沿う上部杆材３２および下部杆材３３とを一体的に備えて、枠状に形成されている。取付枠体部３は、可撓性材料（例えば合成ゴム材料）から形成されている。
【００２１】
首掛用索体２は、取付枠体部３を介して本体１を吊ることが可能である。首掛用索体２は、可撓性材料（例えば合成ゴム材料）から充実断面の索状に形成された一方索体部１０、および他方索体部１１を備えている。すなわち首掛用索体２は、一方索体部１０および他方索体部１１を、一対で設けてなる。一方索体部１０および他方索体部１１は、取付枠体部３の上部杆材３２の左右端に、それぞれ基端部を一体的に形成されている。すなわち、一方索体部１０および他方索体部１１の下端部どうしは、上部杆材３２の左右寸法分だけ離間して配置されて上部杆材３２に固定されている。一方索体部１０および他方索体部１１は、同程度の長さに形成されている。
【００２２】
一方索体部１０の先端には、掛留用突起１０ａが形成されている。他方索体部１１の先端には、掛留用突起１０ａを含む先端部を挿通可能な大径孔部１１ａが形成されている。他方索体部１１の長手方向途中部分のうちの大径孔部１１ａ側寄りに、掛留用突起１０ａを嵌合可能な小径孔部１１ｂが、他方索体部１１の長手方向に略等間隔で離間して複数箇所に形成されている。各小径孔部１１ｂは、他方索体部１１の軸心に対して他方索体部１１の径方向外方に位置ずれして配置されている。
【００２３】
角度調節機構４は、横軸と、この横軸回りに回動可能な回動部とを備える。すなわち角度調節機構４は、図１および図７に示すように、横軸である取付枠体部３の下部杆材３３と、回動部であるフック１２とを備える。フック１２は、本体１の背壁１Ｂに取付けられている。フック１２は金属製の屈曲板とされている。フック１２は板状の前壁１２Ｂと、前壁１２Ｂと前後に対向する板状の背壁１２Ｃとが、上端部どうしを屈曲部分１２Ａを介して一体的に形成されている。屈曲部分１２Ａは弾性を有し、前壁１２Ｂが、本体１の背壁１Ｂに保持部材１３を介して取付けられている。背壁１２Ｃは下方側ほど、前壁１２Ｂに対して接近するよう傾斜している。
【００２４】
屈曲部分１２Ａが弾性変形されて（広げられて）、下部杆材３３に上側から掛けられることで、本体１は取付枠体部３に取付けられる。この状態において、フック１２は弾性復元力により、下部杆材３３回りに所定の角度位置で保持可能となっている。フック１２の屈曲部分１２Ａを弾性に抗して広げることで、フック１２が下部杆材３３に対して自由に回動可能となるから、下部杆材３３回りの角度位置が変更可能となる。
【００２５】
衣服係止部７は、図１および図７に示すように、本体１側の一方係止部と、首掛用索体２側の他方係止部とに振り分けて設けられている。一方係止部は、磁性材料から形成された磁性体であって、本実施形態ではフック１２である。他方係止部は、永久磁石１５を備える。フック１２の背壁１２Ｃが、永久磁石１５に磁力的に吸引される被吸着面とされている。背壁１２Ｃの左右幅は、取付枠体部３における右部杆材３０、および左部杆材３１の左右方向での離間幅に比べて小さく設定されている。
【００２６】
永久磁石１５は、一方索体部１０に分岐するよう着脱自在、且つ摺動自在に設けられた分岐索体１８の端部側である先端部に設けられている。分岐索体１８は、その基端部に、一方索体部１０の一部を径方向外側で覆う弾性環状部１９を備え、弾性環状部１９が一方索体部１０に対して着脱自在、且つ摺動自在とされている。弾性環状部１９は分割面を備えて、この分割面を介して開くことができる。
【００２７】
分岐索体１８は、可撓性材料（例えば合成ゴム材料）から充実断面に形成されている。分岐索体１８の先端部には、永久磁石１５を固定するよう取付ける取付部２０が形成されている。分岐索体１８の長さは、例えば一方索体部１０の半分程度に設定されている。永久磁石１５は、例えば円盤状に形成されている。これにより永久磁石１５の吸着面は面状に形成されている。
【００２８】
上記構成を備えた照明装置は、例えば、ユーザー５が夜間に、いわゆるウオーキングやランニングをする際に、身につけて用いる。照明装置では、本体１に設けられた操作片８を操作して発光部１Ａの駆動の入切を操作することができ、調節片９を操作することにより、発光部１Ａからの発光量を調節することができる。
【００２９】
この照明装置では、首掛用索体２を首に掛けることで本体１を吊った状態として、衣服係止部７により本体１を、ユーザー５が着用している衣服６に係止することで、首掛用索体２および衣服係止部７の双方によりユーザー５に対する本体１の位置決めがなされる。すなわち、首掛用索体２および衣服係止部７の双方により、ユーザー５の身体が上下方向、左右方向の揺れても、本体１がユーザー５の身体に対して大きく揺さぶられることがない。
【００３０】
首掛用索体２を首に掛ける際、ユーザー５は、大径孔部１１ａ、あるいは何れかの小径孔部１１ｂを選択して、掛留用突起１０ａを挿通させる。このようにすることで、一方索体部１０および他方索体部１１を環状体（輪状体）にした状態での首掛用索体２の周方向の長さを、使用者の体型や好みに調節することができる。大径孔部１１ａではなく小径孔部１１ｂを選択することで、その分だけ一方索体部１０および他方索体部１１で形成される首掛用索体２の周方向の長さは短くなる。このように本体１に近い小径孔部１１ｂを選択した分だけ、首掛用索体２の周方向の長さは短くなるから、本体１は、ユーザー５の頭部近くに位置付けられる。
【００３１】
首掛用索体２を首に掛ける際、ユーザー５は、フック１２が身側となるよう本体１を衣服６の表側に配置させ、永久磁石１５を衣服６の生地（例えば、前身ごろの生地）の裏側に配置させる。続いてユーザー５は、永久磁石１５を、衣服６の生地を介してフック１２の背壁１２Ｃに前後方向で対向させる。そうすると、背壁１２Ｃおよび永久磁石１５どうしが磁力により互いに吸引され、その吸引力により、本体１が衣服６の生地を介して、衣服６の表側に係止される。
【００３２】
照明装置では、衣服係止部７において、衣服６に対して係止する部分は、永久磁石１５の吸着面、およびフック１２の背壁１２Ｃの被吸着面であり、これらは面状とされている。このような面状で永久磁石１５と背壁１２Ｃとが衣服６の生地を介して吸引されるから、係止力を確保し易く、磁力である吸引力により、本体１を確実に衣服６に係止させられる。
【００３３】
永久磁石１５は、単体では管理がしにくいが、本実施形態では、永久磁石１５は、分岐索体１８の先端部に設けられた取付部２０に固定されている。このため、永久磁石１５を衣服６の生地の裏側で背壁１２Ｃに対向させる際に、落下させてしまうことがない。
【００３４】
背壁１２Ｃは、一方索体部１０および他方索体部１１の間にあって、上部杆材３２に掛けられているから、永久磁石１５が衣服６の生地の裏側にあって、ユーザー５が目視できなくても、永久磁石１５を背壁１２Ｃに対向させ易い。
【００３５】
分岐索体１８は、その基端部の弾性環状部１９が、一方索体部１０の長手方向に沿うよう摺動自在である。弾性環状部１９を一方索体部１０の長手方向に沿うよう摺動させて、弾性環状部１９から永久磁石１５までの間で分岐索体１８を弛ませておくことで、ユーザー５の動作に伴って分岐索体１８の弛み量が調整される。このため、永久磁石１５が無理に引かれることがない。永久磁石１５が無理に引かれることがなければ、永久磁石１５が背壁１２Ｃに対して外れないから、衣服６に対する本体１の係止が維持できる。分岐索体１８の弛み量を多くするには、予め分岐索体１８の長さを長く設定しておくことで可能となる。
【００３６】
照明装置の使用状態では、本体１はユーザー５の首に掛けられる首掛用索体２で吊られており、しかも衣服係止部７の磁力により衣服６に取付けられる。すなわち、首掛用索体２および衣服係止部７の双方の保持により、ユーザー５の身体が上下方向、左右方向に揺れても、身体に対して本体１が大きく揺さぶられることがない。このため、ユーザー５は、違和感なく照明装置を快適に用いることができる。
【００３７】
発光部１Ａは、本体１の前面から照射光を照射可能に構成されているが、角度調節機構４によって、ユーザー５に対する照射光の照射方向を、任意の方向に調節することができる。フック１２の屈曲部分１２Ａを弾性に抗して広げることで、フック１２が下部杆材３３に対して自由に回動可能となるから、図９の仮想線で示すように、下部杆材３３回りの角度位置を変更させられる。このためユーザー５は、照射光の照射方向を自信の好みの方向や、必要な方向に調節することができる。
【００３８】
下部杆材３３回りの本体１の角度位置は、下部杆材３３を形成している材料と、フック１２の弾性復元力に伴う摩擦力により、確実に保持される。あるいは、衣服６の前身ごろにポケット（図示せず）が形成されている場合、分岐索体１８を生地の裏側へ導かずに前身ごろの表側に垂らし、永久磁石１５をポケット生地の裏側に配置させて、本体１をポケット部分において位置決めすることもできる。
【００３９】
本体１をポケット部分において位置決めする場合では、掛留用突起１０ａを嵌合させる適宜の小径孔部１１ｂを選択し、一方索体部１０および他方索体部１１で形成される環状の首掛用索体２の径を小さくして、首掛用索体２における首からポケット部分までの距離を調節することで、例えば、首に対する首掛用索体２の弛みを少なくする。また、分岐索体１８においては、一方索体部１０の長手方向に対する弾性環状部１９の位置を調節して、弛みを少なくする。
【００４０】
首掛用索体２、および分岐索体１８の弛みが小さければ、本体１をポケット部分において装着しても、ポケット部分に対する本体１の揺れを抑えられる。要するに、首掛用索体２において首から下の長さを調節し、分岐索体１８においては一方索体部１０の長手方向に対する弾性環状部１９の位置を調節すれば、本体１の位置を選択したうえで、本体１を確実に安定させられる。
【００４１】
本実施形態の照明装置では、首掛用索体２および衣服係止部７の双方により、ユーザー５の身体が上下方向、左右方向に揺れても、身体に対する本体１の揺れを充分に抑えることができる。このため、ウオーキングやランニングをしている最中でも、ユーザー５は照明装置を快適に装着することができ、しかも発光部１Ａから照射される照射光の方向が安定して乱れにくい。
【００４２】
図１０ないし図１３に、本発明の第二の実施形態を示す。第二の実施形態に係る照明装置が、第一の実施形態に係る照明装置と異なる構成として、主として角度調節機構４、および衣服係止部７の構成である。角度調節機構４は、第一の実施形態における下部杆材３３と同位置に配置された被挟持杆部材４０と、本体１の背壁１Ｂに、保持部材１３を介して取付けられた挟持部材４１とを備える。被挟持杆部材４０および挟持部材４１は、合成樹脂から形成されている。
【００４３】
被挟持杆部材４０は円形断面に形成されており、一方索体部１０および他方索体部１１をこれらの下端部で連結している。図１２に示すように、被挟持杆部材４０の外周面には、左右方向に沿い、互いに平行な複数条の係止溝４０ａが、左右方向全域に亘るよう形成されている。
【００４４】
挟持部材４１は弾性復元力により、被挟持杆部材４０を上下方向から挟持するよう一対で設けられている。挟持部材４１は、被挟持杆部材４０の一部を上下方向から挟む円弧状部４１Ａを備えている。円弧状部４１Ａには、係止溝４０ａに係止可能な、複数本の凸条４１ａが形成されている。各挟持部材４１の本体１側には、挟持部材４１どうしを弾性に抗して広げる際に用いられる摘み４１ｂが形成されている。
【００４５】
衣服係止部７は、本体１側の一方係止部と、首掛用索体２側の他方係止部とに振り分けて設けられている。一方係止部は、磁性体から形成された磁性板５０を備える。磁性板５０は、保持体５１に保持されている。磁性板５０は、保持体５１に貼着され、且つ一部埋め込まれることにより保持されている。
【００４６】
磁性板５０は、一方索体部１０および他方索体部１１の下端部間に配置されており、矩形の板状に形成されている。保持体５１は、被挟持杆部材４０に対し上側に配置されており、一方索体部１０および他方索体部１１の下端部間に一体的に形成された板状体とされている。図１２に示すように、磁性板５０は保持体５１の背面に保持されている。磁性板５０は、保持体５１の背面と略同一の面積を有する。
【００４７】
首掛用索体２側の他方係止部は、第一の実施形態と同様の構成であり、永久磁石１５は、一方索体部１０に分岐するよう着脱自在、且つ摺動自在に設けられた分岐索体１８の端部側である先端部に設けられている。分岐索体１８の構成は、第一の実施形態と同様である。
【００４８】
なお、本体１は直方体形状に形成されており、その上面に、発光部１Ａの駆動の入切を操作するための操作片８、発光部１Ａからの発光量を調節するための調節片９が配置されている。本体１における他の構成は、第一の実施形態と同様である。また、一方索体部１０および他方索体部１１の構成は、第一の実施形態と同様であるので、同一の符合を付してその説明を繰返さない。
【００４９】
第二実施形態における照明装置では、首掛用索体２を首に掛ける際、ユーザー５は、磁性板５０が身側となるよう本体１を衣服６の表側に配置させ、永久磁石１５を衣服６の生地の裏側に配置させる。続いてユーザー５は、永久磁石１５を、衣服６の生地を介して磁性板５０に前後方向で対向させる。そうすると、磁性板５０および永久磁石１５どうしが磁力により互いに吸引され、その吸引力により、本体１が衣服６の生地を介して、衣服６の表側に係止される。
【００５０】
発光部１Ａは、本体１の前面から照射光を照射可能に構成されているが、角度調節機構４によって、ユーザー５に対する照射光の照射方向を、任意の方向に調節することができる。摘み４１ｂを把持して挟持部材４１どうしをその弾性に抗して広げることで、被挟持杆部材４０の係止溝４０ａに対する挟持部材４１の凸条４１ａの係止が解除されて、本体１が被挟持杆部材４０回りに回動可能となる。
【００５１】
このため、図１３の仮想線で示すように、被挟持杆部材４０回りの本体１の角度位置を変更させられ、照射光の照射方向を自信の好みの方向や、必要な方向に調節することができる。本体１の角度位置の変更が決まれば、係止溝４０ａに凸条４１ａを係止させるよう、被挟持杆部材４０を挟持部材４１で挟持させることで、本体１が所望の角度位置で保持される。
【００５２】
本発明は上記実施形態に限定されず、本発明の主旨を逸脱しない範囲で種々変形が可能である。その他、各部の具体的構成についても上記実施形態に限られない。
【００５３】
例えば、上記各実施形態では、本体１側に磁性材料から形成された磁性体（フック１２、磁性板５０）を設け、首掛用索体２側に永久磁石１５を設けて、衣服６の生地を磁性体および永久磁石１５で挟持するようにした。しかしながら、本体１側に永久磁石を設け、首掛用索体２側に磁性体を設けてもよい。また、本体１側および首掛用索体２側の双方を永久磁石（異極で対向する永久磁石）としてもよい。
【００５４】
上記各実施形態では、永久磁石１５を分岐索体１８に取付けた場合を例示したが、永久磁石１５は分岐索体１８に取付けることなく、単体で用いる構成としてもよい。また、分岐索体１８は首掛用索体２に摺動自在とした場合を例示したが、分岐索体１８の端部は首掛用索体２に固定されていてもよい。
【００５５】
上記各実施形態では、衣服係止部は、磁力により衣服６の生地を挟持する構成を例示した。しかしながら、衣服係止部は磁力を用いる構成に限らず、例えば、衣服係止部を本体１側のみに設け、これを両面粘着テープとして、両面粘着テープを衣服６の生地に貼りつけるようにすることで、本体１を首掛用索体２および衣服係止部で安定させることが可能である。また、衣服係止部として面状で衣服６に係止する構成ではなく、例えば留め針（いわゆる安全ピン）を用いることもできる。
【００５６】
何れにしても、首掛用索体２および衣服係止部７の双方の保持により、ユーザー５の身体が上下方向、左右方向に揺れても、身体に対する本体１の揺れを充分に抑えることができ、ウオーキングやランニングをしている最中でも、ユーザー５は照明装置を快適に装着することができ、しかも発光部１Ａから照射される照射光の方向が安定して乱れにくい。
【符号の説明】
【００５７】
１…本体、１Ａ…発光部、２…首掛用索体、３…取付枠体部、４…角度調節機構、５…ユーザー、６…衣服、７…衣服係止部、１０…一方索体部、１０ａ…掛留用突起、１１…他方索体部、１１ａ…大径孔部、１１ｂ…小径孔部、１２…フック、１２Ａ…屈曲部分、１５…永久磁石、１８…分岐索体、１９…弾性環状部、３３…下部杆材
【図１】
2018028987.tif 000003
【図２】
2018028987.tif 000004
【図３】
2018028987.tif 000005
【図４】
2018028987.tif 000006
【図５】
2018028987.tif 000007
【図６】
2018028987.tif 000008
【図７】
2018028987.tif 000009
【図８】
2018028987.tif 000010
【図９】
2018028987.tif 000011
【図１０】
2018028987.tif 000012
【図１１】
2018028987.tif 000013
【図１２】
2018028987.tif 000014
【図１３】
2018028987.tif 000015